(57)【要約】【課題】ダンボール製のボックス本体をシワや弛みを生じさせることなく外装シートで覆った外観的に優れた収納ボックスを提供することを目的とする。【解決手段】本発明に係る収納ボックス３０は、袋状の外装シート１４でボックス本体１２を覆い、更に外装シート１４とボックス本体１２とをボックス本体１２の開口部近傍で接着するため、外装シート１４にシワや弛みといった外観上の不具合が生じる事がない。そして、外装シート１４を選択することによって、ダンボール製の収納ボックスに紙とは異なる質感等を付与することができ、外観的、意匠的に優れた収納ボックスを得ることができる。更に収納ボックス３０はダンボール製であるために、軽量で持ち運びが楽な他、破損しても鋭利な破片が生じないことに加え、比較的容易に廃棄することができる。【選択図】図１
2009046185.tif 000002
【特許請求の範囲】
【請求項１】
前面に開口部を備えたダンボール製のボックス本体を有するボックス部と、
上面が開口し前記開口部より出し入れ可能な引出部と、
を有する収納ボックスにおいて、
前記ボックス本体を袋状の外装シートで覆うとともに、
前記ボックス本体と前記外装シートとを前記開口部近傍で接着したことを特徴とする収納ボックス。
【請求項２】
ボックス本体の開口部に当該開口部の内周よりも小さい内周の口枠部を設け、
前記開口部の底部内面と前記口枠部の底部内面とが所定寸法の段差を形成することを特徴とする請求項１記載の収納ボックス。
【請求項３】
ボックス本体の奥側内面に、
前記ボックス本体内の気体を当該ボックス本体を構成するダンボールのライナーと中芯との間の空間に流動可能とする逃げ領域を形成したことを特徴とする請求項１または請求項２記載の収納ボックス。
【発明の詳細な説明】
【技術分野】
【０００１】
本発明は、ボックス部に収容可能な引出部を出し入れして、この引出部内に物品を収納して使用する収納ボックスに関するものである。
【背景技術】
【０００２】
従来より、前面に開口部を有するボックス部と、上面に開口部を有しこのボックス部の開口部より出し入れ可能な引出部とを備えた収納ボックスは、衣類や雑貨、本、ＣＤ、ＤＶＤ、ビデオテープ等の収納に多く用いられ、その引出部の数、引出部の配置、サイズ、形状等の異なる様々なものが商品化されている。
【０００３】
上記のような収納ボックスとして下記[特許文献１]では、上下方向にスタッキング可能な収納ボックスに関する発明が開示されている。
【０００４】
一般的な収納ボックスの材料としては、成形が容易であるなどの理由から合成樹脂（プラスチック）が多く用いられている。しかしながら、近年の原油高の影響から合成樹脂材料に対するコストが増加傾向にあることに加え、家庭ごみに対する分別が厳しくなり、特に衣類を収納するための比較的大型の合成樹脂製の収納ボックスは、容易に廃棄することが困難となっている。また、合成樹脂製の収納ボックスは、外的衝撃などにより破損した場合、鋭利な破片や破断面が生じる可能性があり、安全性の面から好ましいものではない。このため、従来の合成樹脂製の収納ボックスに替わってダンボール製（紙製）の収納ボックスが商品化されている。このダンボール製の収納ボックスは、合成樹脂製のものに比べ軽量かつ廃棄が容易で、さらに破損に際しても鋭利な破片が発生することも無く安全性も高い。また、軽量であるため輸送コスト等を低減できるという利点も有している。
【０００５】
【特許文献１】特開２００４−３３１１４７号公報
【発明の開示】
【発明が解決しようとする課題】
【０００６】
収納ボックスに装飾を施す場合、合成樹脂製の収納ボックスでは、収納ボックスの外観に大きく関与するボックス部に着色した合成樹脂を用いたり、ボックス部に塗装を施したりすることが一般的である。また、ダンボール製の収納ボックスでは、ボックス部に用いるダンボールの表面に印刷等を施すことが一般的である。しかしながら、これらの印刷や塗装等による装飾では、材料である紙や合成樹脂とは異なった質感を出すことは難しい。
【０００７】
この問題に対して、ダンボール製の収納ボックスの場合には、ボックス部の基となるボックス本体の表面に、紙とは異なった質感を有する外装シートを接着して、収納ボックスの装飾性を向上させることが効果的である。しかしながら、ただ単純にボックス本体に外装シートを接着した場合、接着部材によって材料のダンボールが変形するなどしてシワや弛み等が多く発生する。このため、これら外観上の不具合を生じさせることなく、ダンボール製のボックス本体に外装シートを接着することは極めて困難であった。
【０００８】
本発明は、上記事情に鑑みてなされたものであり、ダンボール製のボックス本体を、シワや弛みなどの外観上の不具合を生じさせることなく外装シートで覆うことが可能な、外観的に優れた収納ボックスを提供することを目的とする。
【課題を解決するための手段】
【０００９】
本発明は、
（１）前面に開口部を備えたダンボール製のボックス本体１２を有するボックス部１０と、
上面が開口し前記開口部より出し入れ可能な引出部２０と、
を有する収納ボックスにおいて、
前記ボックス本体１２を袋状の外装シート１４で覆うとともに、
前記ボックス本体１２と前記外装シート１４とを前記開口部近傍で接着したことを特徴とする収納ボックス３０を提供することにより、上記課題を解決する。
（２）ボックス本体１２の開口部に当該開口部の内周よりも小さい内周の口枠部１６を設け、
前記開口部の底部内面と前記口枠部の底部内面とが所定寸法の段差ｄを形成することを特徴とする上記の収納ボックス３０を提供することにより、上記課題を解決する。
（３）ボックス本体１２の奥側内面に、
前記ボックス本体１２内の気体を当該ボックス本体１２を構成するダンボールのライナーと中芯との間の空間に流動可能とする逃げ領域１８を形成したことを特徴とする上記の（１）または（２）の収納ボックス３０を提供することにより、上記課題を解決する。
【発明の効果】
【００１０】
本発明に係る収納ボックスは、上記の構成により、
（１）ダンボール製のボックス本体を、シワや弛みなどの外観上の不具合を生じさせることなく外装シートで覆うことが可能となる。これにより、ダンボール製の収納ボックスに紙とは異なる質感等を付与することができ、外観的、意匠的に優れた収納ボックスを得ることができる。
（２）また、上記の効果に加え、ボックス本体における開口部の底部内面と口枠部の底部内面とに段差ｄを形成することで、この段差ｄが引出部のストッパとして機能し、引出部の容易な抜け落ちを防止することができる。
（３）また、上記の効果に加え、ボックス本体の奥側内面に逃げ領域を形成することで、引出部をボックス部に瞬間的に収容可能とすることができる。
【発明を実施するための最良の形態】
【００１１】
本発明に係る収納ボックスの実施の形態について図面に基づいて説明する。図１は、本発明に係る収納ボックスの外観図である。図２は、本発明に係る収納ボックスの製造方法の概略を説明する図である。図３は、本発明に係る収納ボックスに設けられた段差を説明する模式断面図である。図４は、段差の値とその段差がストッパとして機能する限界の力との関係を示すグラフである。図５は、本発明に係る収納ボックスに設けられた逃げ領域を説明するための模式的な外観図である。尚、ここで述べる実施の形態は本発明の好適な具体例であるから、技術的に好ましい種々の限定が付されているが、本発明の範囲は以下の説明において特に本発明を限定する旨の記載がない限り、これらの態様に限られるものではない。
【００１２】
図１は、本発明に係る収納ボックスの一形態を示す外観図である。本発明に係る収納ボックス３０は、前面に開口部を有する略直方体形状のボックス部１０と、ボックス部１０に収納可能な上面が開口した略直方体形状の引出部２０とを有している。そして、収納ボックス３０は、ボックス部１０に収容されている引出部２０をボックス部１０の開口部からスライドして引き出し、引出部２０の開口した上面から物品の出し入れを行った後、再度、引出部２０をスライドしてボックス部１０内に収容することで物品の収納を行う。尚、引出部２０の前面には把手部２２を設け、ボックス部１０からの出し入れを容易にすることが好ましい。また、引出部２０の底面には１対もしくは２対の車輪２４を設け、引出部２０の出し入れを更に容易にしても良い。引出部２０の材料としては、合成樹脂が好ましいが、特に限定はなくダンボール（紙）や木材であっても構わない。
【００１３】
収納ボックス３０を構成するボックス部１０は、ダンボール製のボックス本体１２と、ボックス本体１２の外面に被せられた袋状の外装シート１４と、ボックス部１０の開口部に沿うようにボックス本体１２の前端部に設けられた口枠部１６と、を有している。ボックス本体１２に用いるダンボールには特に限定はないが、波型の中芯を有する厚み約５ｍｍのＡフルートの使用が好ましい。ただし、収納ボックス３０の形状、用途によっては、Ｂフルート、Ｗフルート、Ｅフルート等のダンボールを用いても良い。また、口枠部１６の材料としては、合成樹脂の使用が好ましい。
【００１４】
外装シート１４は、ボックス本体１２と略同一の外形寸法もしくはそれよりも若干小さい寸法の略直方体形状の袋状に予め縫製されたものであり、袋状の外装シート１４の開口部とボックス本体１２の開口部とを合わせながら、ボックス本体１２の外面を覆うように設置される。尚、外装シート１４とボックス本体１２とは、ボックス本体１２の開口部近傍の領域であるボックス本体１２の前端部、即ち口枠部１６が設置される領域もしくはその近傍で接着されている。尚、外装シート１４とボックス本体１２とは上記の領域のみで接着し上記以外の領域では接着しないことが好ましいが、上記の領域に加えてボックス本体１２の外面の一部に接着領域を設け外装シート１４のズレを防止するようにしても良い。
【００１５】
外装シート１４としては、ビニールレザーの使用が好ましいが、その他の合成樹脂製のシート、合成皮革、綿布、合成繊維布、麻布、絹、デニム、帆布、レース、サテン、スエード、和織物、洋織物、起毛処理されたフェイクファー布、金属円板が縫いこまれたラメニット、など布状のものであれば特に限定はない。また、その色、柄に関しても特に限定はなく、単色、木目調、動物柄、レンガ調、迷彩柄、その他、どのようなものでも良い。更に、外装シート１４の表面には、エンボス加工を施すことも可能である。また、外装シート１４には撥水処理を施すことが好ましく、外装シート１４はこの撥水処理によりボックス本体１２を外部からの水分から守り、ダンボールとしての強度を維持して変形を防止する機能をも有する。尚、撥水処理は外装シート１４ではなく、ボックス本体１２の表面に施しても良い。また、撥水処理は必ずしも行わなくとも良い。
【００１６】
次に、ボックス部１０の製造方法を図２を用いて簡単に説明する。先ず、図２（ａ）に示すように、予めボックス本体１２の外形寸法と同等もしくは若干小さめの形状に縫製された袋状の外装シート１４を用意する。
【００１７】
次に、外装シート１４内にボックス本体１２となる所定の形状に裁断されたダンボール部材を畳んだ状態のまま挿入する。次に、図２（ｂ）に示すように、ダンボール部材を外装シート１４内で展開した後、所定の部位を粘着テープ等で固定してボックス本体１２を形成する。このとき、外装シート１４はボックス本体１２と同等もしくは若干小さめの外形寸法となっているため、外装シート１４及びボックス本体１２が適度に変形するなどして、ボックス本体１２の外面は外装シート１４により適度に張った状態で覆われることとなる。そしてこの状態のまま、外装シート１４とボックス本体１２とは、ボックス本体１２の前端部（開口部近傍の領域）の外面に設けられた両面テープなどの接着部材で接着される。従って、外装シート１４には、従来のようにボックス本体１２の全面で接着したときに生じるシワや弛みなどの外観上の不具合が発生することがない。
【００１８】
また、本発明に係る収納ボックス３０は、外装シート１４とボックス本体１２とをボックス本体１２の前端部で主に接着するため使用する接着部材が少量であり、更に両面テープの使用も可能となるため、接着剤に含まれる化学物質の短期的、長期的な揮発による人体への悪影響を抑えることができる。尚、接着領域の幅はボックス本体１２の前端から１０ｍｍ〜５０ｍｍが好ましく、３０ｍｍ前後が特に好ましい。
【００１９】
最後に、図２（ｃ）に示すように、外装シート１４で覆われたボックス本体１２の前端部に口枠部１６を接着することで、収納ボックス３０を構成するボックス部１０が作製される。このときの、口枠部１６の接着にも両面テープの使用が好ましい。尚、外装シート１４は予め袋状に縫製されているため、従来のように外装シートを裁断してボックス本体１２に接着したときに生じる裁断部からの剥離が生じることは無い。また、外装シート１４における唯一の裁断部である開口部分に口枠部１６を形成することで、この口枠部１６が外装シート１４のボックス本体１２からの剥離を防止する機能をも有することとなる。
【００２０】
また、本発明に係る収納ボックス３０には、図３（ａ）に示すように、ボックス本体１２の開口部の内周よりも小さい内周を有する口枠部１６を設け、ボックス本体１２における開口部の底部内面と口枠部１６の底部内面とに、所定の寸法の段差ｄを形成しても良い。そして、この段差ｄは収納ボックス３０が傾いたときに、引出部２０の抜け落ちを防止するストッパとしての役割を果たす。よって、収納ボックス３０が、地震や持ち運び、子供の悪戯、もしくは何らかの外的要因により、口枠部１６の側に傾いたとしても、この段差ｄがストッパとして機能して引出部２０の抜け落ちをある程度まで防止することができる。尚、引出部２０を引き出す際には、図３（ｂ）に示すように、引出部２０を一旦上方に持ち上げ段差ｄを乗り越えてから引き出すことにより、容易に引出部２０を引き出すことができる。
【００２１】
ここで、段差ｄの値を変化させ、この段差ｄがストッパとして機能する限界の力（荷重）を測定した結果を図４に示す。図４より、段差ｄの値が１．２９ｍｍ以上であれば、段差ｄは７．８ｋｇｆの力まで引出部２０のストッパとして機能することが判る。よって、段差ｄの値を１．２９ｍｍ以上、好ましくは１．６ｍｍ前後とすれば、収納ボックス３０のサイズ及び収納する物品にもよるが、収納ボックス３０に対してかなりの傾斜まで引出部２０の抜け落ちを防止することが可能となる。尚、段差ｄの上限値は実用上の観点から２ｍｍ〜３ｍｍとすることが好ましい。
【００２２】
また、本発明に係る収納ボックス３０のボックス本体１２における奥側の内面には、図５に示すように、ボックス本体１２の奥側面を形成するダンボール部材の折り返し部分の一部を切除して、逃げ領域１８を形成しても良い。尚、図５はボックス部１０の上面の一部を切除した、模式的な外観図である。
【００２３】
ここで、従来の収納ボックスでは、引出部２０をボックス部１０に急激に挿入した場合、ボックス部１０内部の空気が瞬間的に圧縮されてその内圧が増大するため、瞬間的に引出部２０をボックス部１０内に収容することが難しい。しかしながら、この逃げ領域１８を形成することで、ボックス部１０内部の空気は逃げ領域１８を介してボックス本体１２を形成するダンボール部材のライナーと中芯との空間に出入り可能となる。これにより、引出部２０を急激にボックス部１０に挿入したとしても、ボックス部１０内部の空気はこの逃げ領域１８によってダンボール部材のライナーと中芯との空間に入り込むことができる。その結果、ボックス部１０内部の空気の圧縮率が低下して内圧の増加も減少するため、瞬間的に引出部２０をボックス部１０内に完全に収容することができる。また、逃げ領域１８によりボックス部１０の内部とボックス本体１２のダンボール内の空間が繋がるため、気体の流動領域が増大しボックス部１０内部に対する除湿効果も期待できる。尚、逃げ領域１８は、ダンボール部材が折り返し易く、また美観を損ねないように形成することが好ましい。
【００２４】
以上のことから、本発明に係る収納ボックス３０は、袋状の外装シート１４でボックス本体１２を覆い、更に外装シート１４とボックス本体１２とをボックス本体１２の開口部近傍の領域で接着するため、外装シート１４にシワや弛みといった外観上の不具合が生じる事がない。そして、例えば外装シート１４を合成皮革とすれば、安価で軽量なダンボール部材を用いた収納ボックス３０でありながら、外観上は皮の質感を有する高級感あふれた収納ボックス３０となる。また、用いる外装シート１４のバリエーションを増やすことで、ユーザの個性や部屋のインテリアにマッチした外観を有する様々な収納ボックス３０を提供することができる。
【００２５】
更に、収納ボックス３０はダンボール製であるために、軽量で持ち運びが楽な他、破損しても鋭利な破片が生じないことに加え、比較的容易に廃棄することができる。
【００２６】
尚、本例においては、引出部２０が一段の収納ボックスを例に説明を行ったが、本発明は引出部２０が縦方向に２段、３段、もしくはそれ以上有する収納ボックスや、横方向及び縦方向に複数の引出部２０を有する収納ボックスにも適用が可能である。また、収納ボックスの外形寸法に関しては特に限定は無く、家庭の押入れ寸法に適合した衣類用の収納ボックスや、コミック、雑誌、ＣＤ、ＭＤ、ＤＶＤ、磁気ビデオテープ、その他の寸法形状の収納ボックスに対しても本発明は適用が可能である他、本発明は本発明の要旨を逸脱しない範囲で変更して実施することが可能である。
【図面の簡単な説明】
【００２７】
【図１】本発明に係る収納ボックスの外観図である。
【図２】本発明に係る収納ボックスの製造方法の概略を説明する図である。
【図３】本発明に係る収納ボックスに設けられた段差を説明する模式断面図である。
【図４】段差の値とその段差がストッパとして機能する限界の力との関係を示すグラフである。
【図５】本発明に係る収納ボックスに設けられた逃げ領域を説明するための模式的な外観図である。
【符号の説明】
【００２８】
１０  ボックス部
１２  ボックス本体
１４  外装シート
１６  口枠部
１８  逃げ領域
３０  収納ボックス
【図１】
2009046185.tif 000003
【図２】
2009046185.tif 000004
【図３】
2009046185.tif 000005
【図４】
2009046185.tif 000006
【図５】
2009046185.tif 000007